(57)【要約】      （修正有）【課題】コンクリート型枠の損傷率を低減して繰り返し使用できるようにし、短時間で且つ低コストで型枠同士を接続固定できるコンクリート型枠接続装置を提供する。【解決手段】枠板Ｖ１，Ｖ２の外面端縁部に連繋用の枠木Ｑ１，Ｑ２を取り付けてなるコンクリート型枠Ｐ１，Ｐ２を隣接して建て込み、これらコンクリート型枠の互いに合致する端部の枠木同士を両側から挟み込むようにする。すなわち、両側から直角に折曲して相対峙する一対の支持アーム２ａ，２ｂを備えたコ字形の支持金具１と、支持金具の一方の支持アーム２ａに穿設したネジ孔３にねじ込む支持ボルト４とを備える。支持ボルトの先端あるいは他方の支持アーム２ｂの裏面の少なくともいずれか一方には、複数列の突条もしくは溝条あるいは複数の突起からなる咬持用面部５を形成する。支持ボルトの咬持用面部５寄り位置にはストッパー部６を設ける。【選択図】図２
0003191186.tif 000002
【実用新案登録請求の範囲】
【請求項１】
枠板の外面端縁部に連繋用の枠木を取り付けてなるコンクリート型枠を互いに隣接して建て込み、これらコンクリート型枠の互いに合致する端部の枠木同士を両側から挟み込んで固定するコンクリート型枠接続装置であって、該装置は、両側から直角に折曲して相対峙する一対の支持アームを備えたコ字形の支持金具と、該支持金具の一方の支持アームに穿設されているネジ孔に進退自在にねじ込まれた支持ボルトとを備えたことを特徴とするコンクリート型枠接続装置。
【請求項２】
支持ボルトの先端あるいは他方の支持アームの裏面の少なくともいずれか一方には、粗面形状の咬持用面部を備えている請求項１記載のコンクリート型枠接続装置。
【請求項３】
咬持用面部は、複数列の突条もしくは溝条、あるいは複数の突起からなる請求項２記載のコンクリート型枠接続装置。
【請求項４】
支持ボルトの咬持用面部寄り位置には、ナットのねじ込み固着によるストッパー部を備えている請求項１乃至３のいずれか記載のコンクリート型枠接続装置。
【請求項５】
枠板の外面端縁部に連繋用の枠木を取り付けてなるコンクリート型枠を互いに隣接して建て込み、これらコンクリート型枠の互いに合致する端部の枠木同士を両側から挟み込んで固定するコンクリート型枠接続装置であって、該装置は、両側から直角に折曲して相対峙する一対の支持アームを備えたコ字形の支持金具と、該支持金具の一方の支持アームに穿設されているネジ孔に進退自在にねじ込まれた支持ボルトとを備え、該支持ボルトの先端あるいは他方の支持アームの裏面の少なくともいずれか一方には、複数列の突条もしくは溝条、あるいは複数の突起からなる粗面形状の咬持用面部を備え、支持ボルトの咬持用面部寄り位置には、ナットのねじ込み固着によるストッパー部を備えていることを特徴とするコンクリート型枠接続装置。
【考案の詳細な説明】
【技術分野】
【０００１】
本考案は、コンクリート材を流し込んで打設するために相互に隣接させて建て込まれる複数のコンクリート型枠相互を、互いに合致されている連繋端部の枠木同士を接合固定することでコンクリート型枠を連結配置するコンクリート型枠接続装置に関する。
【背景技術】
【０００２】
一般に、図５に示すように、コンクリート型枠Ｐ１（またはＰ２）はベニヤ材等の枠板Ｖ１（またはＶ２）の外面端部に連繋用の枠木Ｑ１（またはＱ２）を取り付けてなるもので、これを例えばコンクリート床スラブ面より一定の高さの所に、水平に架設された敷桟木の上に垂直に隣接させて建て込み、互いに合致されている枠木Ｑ１，Ｑ２同士を接合固定している。
【０００３】
このとき、従来では、図５（ａ）に示すように、釘１００を枠木Ｑ１の側面から打ち込み、枠木Ｑ２まで貫通させて固定するか、あるいは図５（ｂ）に示すように、互いに合致した枠木Ｑ１，Ｑ２の側面から透孔１０１を貫設させ、該透孔１０１に連結ボルト１０２を挿入してから反対側からナット１０３で締め付けるか等して互いの枠木Ｑ１，Ｑ２同士を接合固定しておく。そして、コンクリート型枠Ｐ１，Ｐ２の内側にコンクリートＫを流し込んで打設し、コンクリートＫの養生後にはこれらコンクリート型枠Ｐ１，Ｐ２を解体する。尚、連結ボルト１０２，ナット１０３に代えてタッピングネジ、木ネジにて枠木Ｑ１，Ｑ２同士を接合することもある。
【先行技術文献】
【特許文献】
【０００４】
【特許文献１】特になし
【考案の概要】
【考案が解決しようとする課題】
【０００５】
しかしながら、従来においては、枠木Ｑ１，Ｑ２同士の接合固定のために釘１００や連結ボルト１０２等を使用した場合では、施工・解体の両作業においてかなりの時間を要するものとなっていた。すなわち、施工面においては、釘１００を枠木Ｑ１の側面から打ち込み、枠木Ｑ２まで貫通させて固定させる場合では、隣接する枠木Ｑ１，Ｑ２同士が互いにズレ込まないように両側から手でしっかりと押さえ込んでから釘１００を打ち込む必要があるため非常に面倒な作業となる。
【０００６】
また、互いに合致した枠木Ｑ１，Ｑ２の側面を貫設させている透孔１０１に連結ボルト１０２を挿入して反対側からナット１０３で締め付ける場合では、当該枠木Ｑ１，Ｑ２にドリル等で透孔１０１を予め穿設しておかなければならないため、作業が非常に面倒である。しかも、両者いずれの場合においてもコンクリート型枠Ｐ１，Ｐ２の損傷率が非常に高く、繰り返しの使用が困難となるものであった。
【０００７】
一方、解体作業時においては、釘１００や連結ボルト１０２等を使用している場合では、これらを枠木Ｑ１，Ｑ２から取り外すのに非常に手間が掛かり、しかも取り外された釘１００、連結ボルト１０２、ナット１０３が周囲に散乱するため、解体時間にこれらの清掃に要する時間も考慮しなければならなかった。
【０００８】
そこで、本考案は叙上のような従来存した諸事情に鑑み創案されたもので、コンクリート型枠の損傷率が低減され、繰り返しの使用も容易であり、しかも短時間で且つ低コストでコンクリート型枠同士を接続固定することができ、接続固定後には衝撃等による位置ズレや脱落を生じさせないものとなるコンクリート型枠接続装置を提供することを目的とする。
【課題を解決するための手段】
【０００９】
上述した課題を解決するため、本考案にあっては、ベニヤ材の如き枠板Ｖ１，Ｖ２の外面端縁部に連繋用の枠木Ｑ１，Ｑ２を取り付けてなるコンクリート型枠Ｐ１，Ｐ２を互いに隣接して建て込み、これらコンクリート型枠Ｐ１，Ｐ２の互いに合致する端部の枠木Ｑ１，Ｑ２同士を両側から挟み込んで固定するコンクリート型枠接続装置であって、該装置は、両側から直角に折曲して相対峙する一対の支持アーム２ａ，２ｂを備えたコ字形の支持金具１と、該支持金具１の一方の支持アーム２ａに穿設されているネジ孔３に進退自在にねじ込まれた支持ボルト４とを備えたものである。
支持ボルト４あるいは他方の支持アーム２ｂの裏面の少なくともいずれか一方の先端には、粗面形状の咬持用面部５を備えているものとすることができ、この咬持用面部５は、複数列の突条もしくは溝条、あるいは複数の突起からなるものとすることができる。
さらに、支持ボルト４の咬持用面部５寄り位置には、ナットのねじ込み固着によるストッパー部６を備えているものとできる。
【００１０】
以上のように構成された本考案に係るコンクリート型枠接続装置にあって、コ字形の支持金具１は、両側の一対の支持アーム２ａ，２ｂを、コンクリート型枠Ｐ１，Ｐ２の互いに合致する端部の枠木Ｑ１，Ｑ２同士外側面にあてがい配置させ、ネジ孔３にねじ込まれた支持ボルト４を内方側へねじ込み移動させることで、当該支持ボルト４とこれに相対向する他方の支持アーム２ｂとによって枠木Ｑ１，Ｑ２同士を両側から挟み込んで固定させる。
このとき、複数列の突条もしくは複数列の溝条もしくは複数の突起からなる咬持用面部５は、支持ボルト４先端あるいは支持アーム２ｂの裏面を枠木Ｑ１，Ｑ２側面にしっかりと食い込ませる。
また、ストッパー部６は、支持ボルト４をネジ孔３から引き出し方向にねじ回し移動させた際に、咬持用面部５の手前位置で停止し、支持ボルト４をネジ孔３に係止させたままとさせる。
【考案の効果】
【００１１】
本考案によれば、コンクリート型枠Ｐ１，Ｐ２の枠木Ｑ１，Ｑ２を損傷しないから、コンクリート型枠Ｐ１，Ｐ２の損傷率が低減され、繰り返しの使用も容易であり、しかも短時間で且つ低コストでコンクリート型枠Ｐ１，Ｐ２同士を接続固定することができ、接続固定後には衝撃等による位置ズレや脱落を生じさせないものとなる。
【００１２】
すなわち、これは本考案が、両側から直角に折曲して相対峙する一対の支持アーム２ａ，２ｂを備えたコ字形の支持金具１と、該支持金具１の一方の支持アーム２ａに穿設されているネジ孔３にねじ込まれた支持ボルト４とを備えたからである。これにより、支持ボルト４をネジ孔３に２内方側へねじ込み移動させ、当該支持ボルト４とこれに相対向する他方の支持アーム２ｂとによって枠木Ｑ１，Ｑ２同士を両側から挟み込むことで、隣接配置したコンクリート型枠Ｐ１，Ｐ２、相互をしっかりと締結できる。このとき、支持ボルト４先端あるいは他方の支持アーム２ｂ裏面の咬持用面部５が枠木Ｑ１側面にしっかりと食い込むことから、コンクリート型枠Ｐ１，Ｐ２同士を強固に接続固定でき、しかも衝撃等による支持金具１の位置ズレや脱落等を防止できる。
【００１３】
しかも、枠木Ｑ１，Ｑ２同士を両側から挟み込んで接続固定するから、従来のように枠木Ｑ１，Ｑ２に孔を開けずに済み、枠木Ｑ１，Ｑ２を損傷させず、コンクリート型枠Ｐ１，Ｐ２の繰り返し使用を容易にする。
【００１４】
また、咬持用面部５は、複数列の突条もしくは溝条、あるいは複数の突起からなる粗面となっているので、枠木Ｑ１、Ｑ２側面にしっかりと食い込ませることのでき、位置ずれその他を生じさせず、またこの粗面は簡単に形成できる。
【００１５】
さらに、支持ボルト４の咬持用面部５寄り位置には、ナットのねじ込み固着によるストッパー部６を備えているので、支持ボルト４をネジ孔３から引き出し方向に移動させた際に、咬持用面部５の手前位置で支持ボルト４をネジ孔３に係止させたままとできるから、コンクリート型枠Ｐ１，Ｐ２の接続時もしくは解体時における支持金具１からの支持ボルト４の不用意な逸脱を阻止できる。
【００１６】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【図面の簡単な説明】
【００１７】
【図１】本考案を実施するための最良の形態におけるコンクリート型枠接続装置の一例を示す斜視図である。
【図２】同じくコンクリート型枠接続装置の使用状態を示す斜視図である。
【図３】同じくコンクリート型枠接続装置の使用状態を示す断面図である。
【図４】同じく支持ボルト先端の咬持用面部の具体的構成を示すもので、（ａ）は咬持用面部の正面図、（ｂ）は咬持用面部の側面図である。
【図５】従来例におけるコンクリート型枠の接続状態を示し、（ａ）は釘を使用して接続した場合の断面図、（ｂ）は連結ボルトを使用して接続した場合の断面図である。
【考案を実施するための形態】
【００１８】
以下、図面を参照して本考案を実施するための最良の一形態を説明する。図において示される符号１は、本考案に係るコンクリート型枠接続装置を構成する支持金具であり、該支持金具１は、図２に示すように、ベニヤ材の如き枠板Ｖ１，Ｖ２の外面端縁部に連繋用の枠木Ｑ１，Ｑ２を取り付けてなる複数のコンクリート型枠Ｐ１，Ｐ２の枠木Ｑ１，Ｑ２同士を接合し固定するためのものである。
【００１９】
支持金具１は、図１に示すように、所定肉厚、所定幅員の帯板の両側を互いに直角に折曲することで相対峙して成る一対の支持アーム２ａ，２ｂとしたコ字形の枠板となって形成されている。また、支持金具１の一方の支持アーム２ａの略中央にはネジ孔３が穿設され、該ネジ孔３に支持ボルト４が進退自在にねじ込まれ、該支持ボルト４の先端側が一対の支持アーム２ａ，２ｂの間に位置されている。そして、支持ボルト４自体のネジ孔３に対する正逆いずれかのねじれ回転によって支持ボルト４の先端側が一対の支持アーム２ａ，２ｂの間で前後いずれかに移動可能となるようにしてある。
【００２０】
このとき支持ボルト４をねじ込む場合には、例えばセパレートを使用したコンクリート型枠Ｐ１，Ｐ２の締め付け用具である所謂ホームタイ等の取り付けに使用する圧縮空気による締め付けを利用した所謂インパクトレンチ（図示せず）をそのまま支持ボルト４のねじ込みのために使用すれば良い。
【００２１】
この支持ボルト４の先端面には、図４に示すように、枠木Ｑ１に対する喰い付きを可能にするために、例えば三角形状の突条もしくは溝条が縦横交差状もしくは斜行交差状に形成されることで三角錘状の複数の突起が面状に配列されることで粗面として形成した咬持用面部５となっている。尚、この咬持用面部５として、例えば三角形状の突条もしくは溝条を互いに平行となるように配列形成しても良い。また、この咬持用面部５は、他方の支持アーム２ｂの裏面に形成されていても良く、支持ボルト４先端、支持アーム２ｂ裏面の少なくともいずれか一方に形成される。
【００２２】
また、支持ボルト４の先端からはナットがねじ込まれ、咬持用面部５寄り位置において当該ナットを当該支持ボルト４に溶接等で固着することにより、支持ボルト４のネジ孔３からの抜け防止用のストッパー部６が形成されている。
【００２３】
この一対の支持アーム２ａ，２ｂの間で、互いに隣接するコンクリート型枠Ｐ１，Ｐ２の連繋端部における枠木Ｑ１，Ｑ２同士が接合した状態で挟み込むように配置するのであるが、このとき、図３に示すように、支持金具１の相対峙する支持アーム２ａ，２ｂ同士の間隔を、互いに接合した枠木Ｑ１，Ｑ２の全幅員よりも大きくすると共に、支持ボルト４の長さを相対峙する支持アーム２ａ，２ｂ同士の間隔よりも長くすることにより、当該間隔内で支持ボルト４のねじ込み余裕長さが得られるようにしてある。
【００２４】
次に、以上のように構成された最良の形態についての組立・使用の一例について説明する。施工に際し、図２に示すように、コンクリート型枠Ｐ１およびコンクリート型枠Ｐ２それぞれを例えばコンクリート床スラブ面より一定の高さの所に水平に架設された敷桟木の上に隣接した状態で垂直に建て込み、枠板Ｖ１，Ｖ２それぞれの外面端縁部にある連繋用の枠木Ｑ１，Ｑ２同士を合致させておき、合致させた状態で支持金具１の両側一対の支持アーム２ａ，２ｂにて、支持金具１を装着させる。
【００２５】
そして、図３に示すように、一方の支持アーム２ａ側のネジ孔３にねじ込まれている支持ボルト４を内方側へねじ込み移動させることによって、当該支持ボルト４とこれに相対向する他方の支持アーム２ｂとによって枠木Ｑ１，Ｑ２同士を両側から挟み込んで固定する。尚、支持ボルト４のねじ込みに際しては、セパレータを使用したコンクリート型枠Ｐ１，Ｐ２同士の接続施工において、ホームタイ等の取り付けに使用する不図示のインパクトレンチをそのまま使用しても良い。
【００２６】
この支持ボルト４のねじ込み移動によって当該支持ボルト４先端の咬持用面部５が枠木Ｑ１側面にしっかりと食い込まれる。こうしてからコンクリート型枠Ｐ１，Ｐ２の内側にコンクリート材Ｋを流し込んで養生する。
【００２７】
コンクリート材Ｋ養生後のコンクリート型枠Ｐ１，Ｐ２の解体に際し、支持ボルト４の締め付けを緩めることで支持金具１を枠木Ｑ１，Ｑ２同士から取り外す。このとき、支持ボルト４をネジ孔３から引き出し方向に目一杯に移動させた際には、咬持用面部５の手前位置にあるストッパー部６がネジ孔３に未然に係止されることで、支持ボルト４はネジ孔３から抜けず、このままの状態で支持金具１を再び使用する。また、コンクリート型枠Ｐ１，Ｐ２の枠木Ｑ１，Ｑ２を損傷させずに済むから、これの再使用を容易にさせる。
【符号の説明】
【００２８】
Ｐ１，Ｐ２…コンクリート型枠            Ｑ１，Ｑ２…枠木
Ｖ１，Ｖ２…枠板                        Ｋ…コンクリート材
１…支持金具                            ２ａ，２ｂ…支持アーム
３…ネジ孔                              ４…支持ボルト
５…咬持用面部                          ６…ストッパー部
１００…釘                              １０１…透孔
１０２…連結ボルト                      １０３…ナット
【図１】
0003191186.tif 000003
【図２】
0003191186.tif 000004
【図３】
0003191186.tif 000005
【図４】
0003191186.tif 000006
【図５】
0003191186.tif 000007